(57)【要約】【課題】被洗浄物が搬送されるにしたがって、被洗浄物と逆方向に搬送される洗浄水で連続してきれいに洗浄することができる洗浄水による洗浄装置を提供する。【解決手段】洗浄水を収容する洗浄槽２内に回転可能に回転筒３を配置し、この回転筒３には洗浄水が流入・流出する多数の通水孔８が穿孔され、回転筒３の内部には一端から供給された被洗浄物を搬送して他端から排出する被洗浄物搬送用螺旋羽根９が形成されるととともに、回転筒３の外周には洗浄槽内の洗浄水を被洗浄物の搬送方向と逆方向に搬送する洗浄水搬送用螺旋羽根１１が被洗浄物搬送用螺旋羽根９のねじり方向と逆のねじり方向に形成されている洗浄装置。【選択図】    図３
2004236627.tif 000002
【特許請求の範囲】
【請求項１】
洗浄水を収容する洗浄槽内に回転可能に回転筒を配置し、この回転筒には洗浄水が流入・流出する多数の通水孔が穿孔され、前記回転筒の内部には一端から供給された被洗浄物を搬送して他端から排出する被洗浄物搬送用螺旋羽根が形成されるととともに、前記回転筒の外周には洗浄槽内の洗浄水を前記被洗浄物の搬送方向と逆方向に搬送する洗浄水搬送用螺旋羽根が前記被洗浄物搬送用螺旋羽根のねじり方向と逆のねじり方向に形成されていることを特徴とする洗浄水による洗浄装置。
【請求項２】
前記洗浄槽が回転筒を回転可能にした仕切壁により仕切られていることを特徴とする請求項１記載の洗浄水による洗浄装置。
【請求項３】
前記洗浄槽にブロウバブリング装置を設けたことを特徴とする請求項１又は２記載の洗浄水による洗浄装置。
【発明の詳細な説明】
【０００１】
【発明の属する技術分野】
本発明は、海藻や魚介類などの海産物、野菜、果物、穀類などの農産物などを洗浄水で連続的に洗浄するための洗浄水による洗浄装置に関する。
【０００２】
【従来の技術】
海苔やもずくなどの海藻、ジャガイモ、米などの農産物を連続して洗浄するために、種々の洗浄装置が提案されている。例えば、特許文献１には、生海苔洗浄脱水装置が開示されている。この装置は、外筒内に複数の微小孔を有する内筒が挿入され、内筒内に螺旋羽根が植設される軸筒が挿入されて、海水分を含む海苔を洗浄するように構成され、軸筒の一端側に、洗浄水が供給される通水口が形成され、生海苔が螺旋羽根によって送られる間に、通水口から供給される清水が通水孔から拡散され生海苔に残された海水分を除去するもので洗浄効果が向上するというものである。
【０００３】
また、特許文献２には、洗浄装置を備えた無洗米製造装置が開示されており、この洗浄装置も外周に螺旋突条を設けた撹拌筒で米を送りながら洗浄するものである。
【０００４】
【特許文献１】
特開平９−２７１３６７号公報
【０００５】
【特許文献２】
特開２００３−１０７０３号公報
【０００６】
【発明が解決しようとする課題】
しかしながら、従来の撹拌装置では、特に洗浄水の汚れについては考慮されておらず、供給された洗浄水が混ざり合い、被洗浄物を汚れた洗浄水で洗浄することになり、十分に洗浄することができないという欠点があった。
【０００７】
そこで、本発明は、被洗浄物が搬送されるにしたがって、被洗浄物と逆方向に搬送される洗浄水で連続してきれいに洗浄することができる洗浄水による洗浄装置洗浄装置を提供するものである。
【０００８】
【課題を解決するための手段】
本発明の洗浄水による洗浄装置は、洗浄水を収容する洗浄槽内に回転可能に回転筒を配置し、この回転筒には洗浄水が流入・流出する多数の通水孔が穿孔され、前記回転筒の内部には一端から供給された被洗浄物を搬送して他端から排出する被洗浄物搬送用螺旋羽根が形成されるととともに、前記回転筒の外周には洗浄槽内の洗浄水を前記被洗浄物の搬送方向と逆方向に搬送する洗浄水搬送用螺旋羽根が前記被洗浄物搬送用螺旋羽根のねじり方向と逆のねじり方向に形成されていることを特徴とする。
【０００９】
前記構成において、洗浄槽を回転筒を回転可能にした仕切壁により仕切ったり、ブロワバブリング装置を設けてもよい。
【００１０】
【発明の実施の形態】
図１は本発明の洗浄装置の一例を示し、（ａ）は平面図、（ｂ）は同正面図、（ｃ）は同側面図である。
【００１１】
図１において、架台１の上に設置された洗浄槽２の中に、両端を開放した円筒の一端を被洗浄物の供給口３ａとし、他端を被洗浄物の排出口３ｂとした回転筒３が水平に配置される。回転筒３は、その中心軸に設けられたシャフト４の両端を洗浄槽２の壁に支持することにより、洗浄槽２内に配置される。シャフト４の一端（被洗浄物の供給側）は、洗浄槽２の外側に突出し、洗浄槽２の外に配置されたモータ５にスプロケット６とローラチェーン７を介して結合され、モータ５の駆動によりシャフト４を回転させ、シャフト４に固定されている回転筒３を回転させる。
【００１２】
図２は本発明の洗浄装置に使用する回転筒の一部切断した斜視図である。
【００１３】
回転筒３の表面には、回転筒３の内部に通じる多数の通水孔８が穿孔され、洗浄槽２の洗浄水が通水孔８を通して回転筒３の内外に流入・流出する。通水孔８の孔の大きさは、回転筒３内部の被洗浄物が通水孔８から抜け落ちない大きさにする。回転筒３は、被洗浄物の大きさや必要とする強度などを考慮して、パンチングプレートや金網などから作製することができる。
【００１４】
回転筒３内のシャフト４には被洗浄物を搬送するため、被洗浄物搬送用螺旋羽根９を設けて被洗浄物の搬送路を形成し、回転筒３の回転により回転筒３の被洗浄物供給口３ａに供給された被洗浄物を被洗浄物搬送用螺旋羽根９に沿って搬送し、被洗浄物排出口３ｂから排出させる。
【００１５】
回転筒３の外周面には洗浄水を搬送する洗浄水搬送用螺旋羽根１０が形成され、洗浄水搬送用螺旋羽根１０のねじり方向は回転筒３の内部の洗浄物搬送用螺旋羽根９と逆のねじり方向に形成され、回転筒３の回転により洗浄槽２内の洗浄水を被洗浄物の搬送方向と逆の方向に移動させる。回転筒３は、洗浄水を穏やかに搬送させるために洗浄水搬送用螺旋羽根１０が洗浄槽１の上部から出る程度に設置する。
【００１６】
図３は本発明の洗浄装置に設ける仕切壁部分の説明図である。
【００１７】
図３において、洗浄槽２は、回転筒３の領域が仕切壁１１により複数の区域に仕切られている。仕切壁１１は回転する回転筒３を通すことができるようにアーチ形に形成されている。洗浄槽２を仕切壁１１で仕切ることによって、隣り合う区域の洗浄水が逆戻りして混合されるのを抑えて洗浄水の汚れを防ぐことができる。
【００１８】
洗浄槽２の一端には被洗浄物を回転筒２の被洗浄物供給口３ａへ供給するシュート１２ａを備えた被洗浄物供給ホッパー１２が設けられ、他端には被洗浄物搬送用螺旋羽根９で搬送により洗浄されて被洗浄物排出口３ｂから排出される被洗浄物を洗浄槽２内で受けて洗浄槽２の外へ搬出する被洗浄物搬出コンベア１３が設けられている。
【００１９】
また、洗浄槽２には被洗浄物の供給側と反対側に洗浄水を洗浄槽２に供給する洗浄水供給配管１４が配置されている。さらに、洗浄槽２には被洗浄物の供給側に洗浄水をオーバーフローさせて排水するオーバーフロー口１５が設けられている。オーバーフロー口１５からオーバーフローした洗浄水は水受けホッパー１６で受けて洗浄水供給配管１４から循環させることもできる。
【００２０】
また、洗浄槽２の下部には仕切壁１１で仕切られた各区域毎に空気を吹き込んで洗浄槽２内の洗浄水を対流させて回転筒３への洗浄水の流入・流出を促進させるブロワバブリング装置１７を設けてもよい。
【００２１】
また、洗浄槽２の下部には、洗浄槽２の下部に貯まった砂、屑、ゴミなどを排出する排出バルブを設ける。
【００２２】
次に、本発明の洗浄装置の動作について説明する。
【００２３】
被洗浄物供給ホッパー１２からシュート１２ａを介して被洗浄物が回転する回転筒３の被洗浄物供給口３ａに連続的に供給される。供給された被洗浄物は、回転筒３の回転によって回転する被洗浄物搬送用螺旋羽根により搬送されながら回転筒３の通水孔８を流入・流出する洗浄水により洗浄され、回転筒３の被洗浄物排出口３ｂから排出され、被洗浄物搬出コンベア１３で受けて洗浄槽２の外へ搬出される。
【００２４】
回転筒３を回転させて被洗浄物を搬送する一方で、洗浄物搬送用螺旋羽根９と逆のねじり方向の洗浄水搬送用螺旋羽根１０も同時に回転して洗浄水を被洗浄物の搬送方向と逆方向に搬送するので、洗浄水の搬送により被洗浄物は移動するにしたがって、だんだんきれいな洗浄水で洗浄されることになる。
【００２５】
また、仕切壁１１により搬送される洗浄水の混合を抑えたり、ブロウバブリング装置１７により、洗浄効果を向上させることができる。
【００２６】
【発明の効果】
本発明の洗浄装置、洗浄物搬送用螺旋羽根のねじり方向と洗浄水搬送用螺旋羽根のねじり方向を逆方向にすることにより、被洗浄物と洗浄水が逆方向に搬送されるために、被洗浄物が搬送されるにしたがって、よりきれいな洗浄水で洗浄されていくことになり、洗浄効果を上げることができる。
【００２７】
また、洗浄槽を仕切壁で仕切ることにより、洗浄水の逆戻りを抑えて洗浄水の汚れを防いだり、ブロワバブリング装置で洗浄槽に空気を吹き込んで洗浄水を対流させることにより洗浄効果を向上させることができる。
【図面の簡単な説明】
【図１】本発明の洗浄装置の一例を示し、（ａ）は平面図、（ｂ）は同正面図、（ｃ）は同側面図である。
【図２】本発明の洗浄装置に使用する回転筒の一部切断した斜視図である。
【図３】本発明の洗浄装置に設ける仕切壁部分の説明図である。
【符号の説明】
１：架台  ２：洗浄槽
３：回転筒  ４：シャフト
５：モータ  ６：スプロケット
７：ローラチェーン  ８：通水孔
９：被洗浄物搬送用螺旋羽根
１０：洗浄水搬送用螺旋羽根  １１：仕切壁
１２：被洗浄物供給ホッパー
１３：被洗浄物搬出コンベア
１４：洗浄水供給配管  １５：オーバーフロー口
１６：水受けホッパー  １７：ブロウバブリング装置
【図１】
2004236627.tif 000003
【図２】
2004236627.tif 000004
【図３】
2004236627.tif 000005